(57)【要約】【課題】記録媒体を押圧する圧力を画像に関係無く固定にした場合と比較して、記録媒体を巻き取る際に空気が巻き込まれるのを抑制することができる。【解決手段】画像形成装置１０は、画像が形成された長尺状のフィルム１２を巻き取る排出部１８と、排出部１８で巻き取られたフィルム１２を押圧するタッチロール７２と、フィルム１２の幅方向における画像の濃度に基づいて、タッチロール７２の圧力を制御する制御部７０と、を備える。【選択図】図１
2017141101.tif 000002
【特許請求の範囲】
【請求項１】
画像が形成された長尺状の記録媒体を巻き取る巻き取り手段と、
前記巻き取り手段で巻き取られた前記記録媒体を押圧する押圧手段と、
前記記録媒体の幅方向における前記画像の濃度に基づいて、前記押圧手段の圧力を制御する制御手段と、
を含む巻き取り装置。
【請求項２】
前記制御手段は、前記記録媒体の幅方向に前記画像を複数に分割した分割領域の濃度のうち最大濃度と最小濃度との濃度差に応じて前記圧力を制御する
請求項１記載の巻き取り装置。
【請求項３】
前記制御手段は、前記記録媒体の幅方向に前記画像を複数に分割した分割領域のうち、隣り合う分割領域の濃度差に応じて前記圧力を制御する
請求項１記載の巻き取り装置。
【請求項４】
前記制御手段は、前記記録媒体の幅方向に前記画像を複数に分割した分割領域のうち濃度が高い順に選択された２つの分割領域の濃度と、前記２つの分割範囲に挟まれる分割領域の濃度と、の濃度差に応じて前記圧力を制御する
請求項１記載の巻き取り装置。
【請求項５】
前記制御手段は、前記濃度差及び前記２つの分割範囲の間隔に応じて前記圧力を制御する
請求項４記載の巻き取り装置。
【請求項６】
長尺状の記録媒体に画像を形成する画像形成手段と、
前記画像が形成された前記記録媒体を巻き取る請求項１〜５の何れか１項に記載の巻き取り装置と、
を含む画像形成装置。
【発明の詳細な説明】
【技術分野】
【０００１】
本発明は、巻き取り装置及び画像形成装置に関する。
【背景技術】
【０００２】
特許文献１には、フィルムを巻取る巻芯および巻き取り中心軸を有し、少なくとも上流側のニアロール、およびそれよりも下流側に配置されたタッチロールを有するセンタードライブ式フィルム巻取機を用い、タッチロールのタッチ圧力、及びフィルムの巻取張力を、フィルムの巻き始め又は巻きの途中の段階より、巻き終わりまで連続して漸次減少させるように制御することを特徴とするフィルムの巻取方法が開示されている。
【０００３】
特許文献２には、巻き取りロールに巻回される被巻回体の最外周面にタッチロールを接触せしめ、所定のタッチ圧で押圧しながら上記被巻回体を巻き取る巻き取り装置において、上記タッチロールのタッチ圧を上記被巻回体の送り速度に応じて変化させることを特徴とする巻き取り装置が開示されている。
【０００４】
特許文献３には、巻芯に巻取られて形成されるフィルム等帯状物のミルロールを押圧する押圧ロールと、該押圧ロールを回転及び前後進自在に軸支する可動軸受と、該押圧ロールの押圧力を制御する押圧制御装置と、送りロールとミルロールの回転数比からミルロールの巻径を演算する巻径演算器と、ミルロールの巻太りに従って該巻径演算器からの信号によって逐次ミルロールを後退させるミルロール位置調整装置を有する巻取機の空気巻込率制御方法において、前記巻径演算器で演算した巻径が適宜の基準量増加する基準時間毎に、該巻径演算器からの信号に基づいて該基準時間内に巻太ったミルロールの体積を演算し、送りロールの回転数を検出する回転数検出器からの信号と帯状物の厚み情報入力器からの信号に基づいて前記基準時間内に巻取られた帯状物の体積を演算し、両体積の差として巻込空気の体積を演算し、空気巻込率として該巻込空気の体積と前記ミルロールの体積の比を演算し、該空気巻込率と空気巻込率パターン設定器に設定された目標空気巻込率とを比較し、この演算結果によって前記押圧制御装置の押圧力を補正制御することを特徴とする巻取機の空気巻込率制御方法。装置が開示されている。
【先行技術文献】
【特許文献】
【０００５】
【特許文献１】特開２０１０−２４１５７３号公報
【特許文献２】特開平６−１６２８７号公報
【特許文献３】特開平１０−６７４４９号公報
【発明の概要】
【発明が解決しようとする課題】
【０００６】
本発明は、画像が形成された記録媒体を巻き取る際に、記録媒体を押圧する圧力を画像に関係無く固定にした場合と比較して、記録媒体を巻き取る際に空気が巻き込まれるのを抑制することができる巻き取り装置及び画像形成装置を提供することを目的とする。
【課題を解決するための手段】
【０００７】
上記目的を達成するために、請求項１に係る巻き取り装置は、画像が形成された長尺状の記録媒体を巻き取る巻き取り手段と、前記巻き取り手段で巻き取られた前記記録媒体を押圧する押圧手段と、前記記録媒体の幅方向における前記画像の濃度に基づいて、前記押圧手段の圧力を制御する制御手段と、を含む。
【０００８】
請求項２記載の発明は、前記制御手段は、前記記録媒体の幅方向に前記画像を複数に分割した分割領域の濃度のうち最大濃度と最小濃度との濃度差に応じて前記圧力を制御する。
【０００９】
請求項３記載の発明は、前記制御手段は、前記記録媒体の幅方向に前記画像を複数に分割した分割領域のうち、隣り合う分割領域の濃度差に応じて前記圧力を制御する。
【００１０】
請求項４記載の発明は、前記制御手段は、前記記録媒体の幅方向に前記画像を複数に分割した分割領域のうち濃度が高い順に選択された２つの分割領域の濃度と、前記２つの分割範囲に挟まれる分割領域の濃度と、の濃度差に応じて前記圧力を制御する。
【００１１】
請求項５記載の発明は、前記制御手段は、前記濃度差及び前記２つの分割範囲の間隔に応じて前記圧力を制御する。
【００１２】
請求項６記載の発明は、長尺状の記録媒体に画像を形成する画像形成手段と、前記画像が形成された前記記録媒体を巻き取る請求項１〜５の何れか１項に記載の巻き取り装置と、を含む。
【発明の効果】
【００１３】
請求項１、６に記載の発明によれば、記録媒体を押圧する圧力を画像に関係無く固定にした場合と比較して、記録媒体を巻き取る際に空気が巻き込まれるのを抑制することができる、という効果を有する。
【００１４】
請求項２記載の発明によれば、記録媒体を押圧する圧力を、記録媒体の幅方向に画像を複数に分割した分割領域の濃度のうち最大濃度と最小濃度との濃度差に関係無く固定にした場合と比較して、記録媒体を巻き取る際に空気が巻き込まれるのを抑制することができる、という効果を有する。
【００１５】
請求項３記載の発明によれば、記録媒体を押圧する圧力を、記録媒体の幅方向に画像を複数に分割した分割領域のうち、隣り合う分割領域の濃度差に関係無く固定にした場合と比較して、記録媒体を巻き取る際に空気が巻き込まれるのを抑制することができる、という効果を有する。
【００１６】
請求項４記載の発明によれば、記録媒体を押圧する圧力を、記録媒体の幅方向に画像を複数に分割した分割領域のうち濃度が高い順に選択された２つの分割領域の濃度と、２つの分割領域に挟まれる分割領域の濃度と、の濃度差に関係無く固定にした場合と比較して、記録媒体を巻き取る際に空気が巻き込まれるのを抑制することができる、という効果を有する。
【００１７】
請求項５記載の発明によれば、記録媒体を押圧する圧力を、記録媒体の幅方向に画像を複数に分割した分割領域のうち濃度が高い順に選択された２つの分割領域の濃度と、２つの分割範囲に挟まれる分割領域の濃度と、の濃度差、及び、２つの分割領域の間隔に関係無く固定にした場合と比較して、記録媒体を巻き取る際に空気が巻き込まれるのを抑制することができる、という効果を有する。
【図面の簡単な説明】
【００１８】
【図１】画像形成装置の構成図である。
【図２】フィルムの巻き取り時の空気の巻き込みについて説明するための図である。
【図３】フィルムの巻き取り時の空気の巻き込みについて説明するための図である。
【図４】第１実施形態に係る制御部で実行される圧力制御処理のフローチャートである。
【図５】（Ａ）は画像の分割について説明するための図、（Ｂ）は分割領域毎の画像濃度について説明するための図である。
【図６】第１実施形態に係る圧力値の設定について説明するための図である。
【図７】濃度差と圧力値との対応関係を示す図である。
【図８】第２実施形態に係る制御部で実行される圧力制御処理のフローチャートである。
【図９】第２実施形態に係る圧力値の設定について説明するための図である。
【図１０】第３実施形態に係る制御部で実行される圧力制御処理のフローチャートである。
【図１１】第３実施形態に係る圧力値の設定について説明するための図である。
【図１２】第４実施形態に係る制御部で実行される圧力制御処理のフローチャートである。
【図１３】画像の分割の変形例について説明するための図である。
【発明を実施するための形態】
【００１９】
（第１実施形態）
【００２０】
以下、第１実施形態について説明する。
【００２１】
図１には、本実施形態に係る画像形成装置１０の要部の構成を示している。画像形成装置１０は、電子写真方式を適用し、任意の画像をオンデマンドでフィルム１２などの記録媒体に形成する。
【００２２】
本実施形態では、記録媒体の一例として、プラスチックフィルム（合成樹脂フィルム。以下、フィルムという）を用いる。記録媒体として用いるフィルムとしては、例えば、ポリプロピレン（ＰＰ：polypropylene）、ポリエチレン（ＰＥ：polyethylene）、又はポリエチレンテレフタレート（ＰＥＴ：polyethylene terephthalate）などのポリオレフィン系の樹脂などの各種の合成樹脂を用いる。また、フィルムとしては、上記に限らず、ポリエステル、ポリスチレン、又はポリビニルアルコールなどの合成樹脂が用いられる。本実施の形態では、フィルムの一例としてＰＥＴを用いる。なお、フィルムとしては、単層構造であっても良く、複数のフィルムが積層された多層構造であっても良い。
【００２３】
また、記録媒体は、画像形成に用いる現像剤に対して親和性が高いことが好ましい。記録媒体は、この条件を満たすものであれば、フィルムに限らず、用紙（紙）、セルロース繊維などを含む用紙、又は用紙上に各種のコート層が形成された塗工紙などの各種の用紙であっても良い。
【００２４】
画像形成装置１０には、例えば専用又は公衆ネットワーク回線等の通信回線を介して接続された画像処理装置等から画像データが入力されても良い。また、画像形成装置１０は、原稿に記録された画像を読み取る画像読取装置が接続され、画像読取装置から原稿に記録された画像を読み取ることで得られる画像データが入力されても良い。画像形成装置１０は、一例として長尺状のフィルム１２に対して、現像剤を用いて画像データに応じた画像を形成する。
【００２５】
画像形成装置１０は、画像形成部１４、供給部１６、及び排出部１８を備える。また、画像形成装置１０には、フィルム１２の搬送路２０が形成されている。搬送路２０は、複数の搬送ロール２２（図１では、一例として搬送ロール２２Ａ、２２Ｂ、２２Ｃ、２２Ｄ、２２Ｅ、２２Ｆを図示。以下、搬送ロールを区別しない場合、搬送ロール２２とする）が配列されている。フィルム１２は、搬送ロール２２の少なくとも一部が回転駆動されることで予め設定された搬送速度で、搬送路２０に沿って搬送される（搬送方向を矢印Ｆ方向で示す）。
【００２６】
供給部１６には、長尺のフィルム１２がロール状に巻き取られたフィルムロール２４が装填される。フィルム１２は、供給部１６に装填されたフィルムロール２４の外周端から引き出されて搬送路２０へ送り込まれ、搬送路２０を、供給部１６から画像形成部１４を経て排出部１８へ搬送される。
【００２７】
画像形成部１４は、フィルム１２に画像を形成する現像部２６、及び現像部２６の下流側に設けられてフィルム１２に形成された画像をフィルム１２上に定着させる定着部２８を備える。画像形成装置１０に設けられる画像形成部１４は、一例として、Ｙ、Ｍ、Ｃ、Ｋの各色の現像剤Ｇ（ＧＹ、ＧＭ、ＧＣ、ＧＫ）を用いてフィルム１２にカラー画像を形成する。なお、以下の説明において、符号Ｙはイエロー用の構成を示し、符号Ｍはマゼンタ用の構成を示し、符号Ｃはシアン用の構成を示し、符号Ｋはブラック用の構成を示す。
【００２８】
現像部２６は、画像形成ユニット３０として、Ｙ色のトナーを含む現像剤ＧＹを用いる画像形成ユニット３０Ｙ、Ｍ色のトナーを含む現像剤ＧＭを用いる画像形成ユニット３０Ｍ、及びＣ色のトナーを含む現像剤ＧＣを用いる画像形成ユニット３０Ｃを備える。また、現像部２６は、画像形成ユニット３０として、Ｋ色のトナーを含む現像剤ＧＫを用いる画像形成ユニット３０Ｋを備える。現像部２６には、画像形成ユニット３０Ｙ、３０Ｍ、３０Ｃ、３０Ｋが、搬送路２０に沿って配列されている。
【００２９】
画像形成ユニット３０（３０Ｙ、３０Ｍ、３０Ｃ、３０Ｋ）は、感光体３２（３２Ｙ、３２Ｍ、３２Ｃ、３２Ｋ）、帯電器３４（３４Ｙ、３４Ｍ、３４Ｃ、３４Ｋ）、及び露光器３６（３６Ｙ、３６Ｍ、３６Ｃ、３６Ｋ）を備える。また、画像形成ユニット３０（３０Ｙ、３０Ｍ、３０Ｃ、３０Ｋ）は、現像器３８（３８Ｙ、３８Ｍ、３８Ｃ、３８Ｋ）、転写器４０（４０Ｙ、４０Ｍ、４０Ｃ、４０Ｋ）、及びクリーナー４２（４２Ｙ、４２Ｍ、４２Ｃ、４２Ｋ）を備える。なお、画像形成ユニット３０Ｙ、３０Ｍ、３０Ｃ、３０Ｋは、使用する現像剤Ｇが異なるが、基本的構成が、同様となっており、以下において、基本的構成を説明する場合、色を特定する符号Ｙ、Ｍ、Ｃ、Ｋの付記を省略する。
【００３０】
感光体３２は、一例として円筒状に形成され、外周面に静電潜像を保持する。また、感光体３２は、搬送路２０を搬送されるフィルム１２の搬送速度に応じて予め定めた方向（図１の矢印Ｒ方向）へ回転される。画像形成ユニット３０には、感光体３２の周囲に、感光体３２の回転方向に沿って、帯電器３４、露光器３６、現像器３８、転写器４０、及びクリーナー４２が順に配置され、各々が感光体３２の外周面に対向されている。
【００３１】
帯電器３４は、例えば、コロトロン又はスコロトロンなどが用いられて、予め定められた帯電電圧が印加されることで、対向する感光体３２の外周面を帯電させる。露光器３６は、画像データに応じて発する光ビームを、帯電された感光体３２の外周面へ走査しながら照射する。
【００３２】
画像形成装置１０の作動を制御する制御部７０は、画像データを含む印刷指示（印刷ジョブ）を受信すると、受信した画像データに対して予め定めた画像処理を実行する。また、制御部７０は、画像データに対して色分解を行い、例えば、Ｙ、Ｍ、Ｃ、Ｋの各色のラスタデータ（ビットマップデータ）を生成し、生成したラスタデータに基づいて、露光器３６Ｙ、３６Ｍ、３６Ｃ、３６Ｋを制御する。これにより、図１に示される感光体３２Ｙには、画像データのＹ色成分の画像に応じた静電潜像が形成され、感光体３２Ｍには、画像データのＭ色成分の画像に応じた静電潜像が形成される。また、感光体３２Ｃには、画像データのＣ色成分の画像に応じた静電潜像が形成され、感光体３２Ｋには、画像データのＫ色成分の画像に応じた静電潜像が形成される。
【００３３】
現像器３８は、静電潜像が形成された感光体３２の外周面に現像剤Ｇを供給することで、感光体３２の外周面に、静電潜像に応じたトナー像を形成する。これにより、感光体３２Ｙには、Ｙ色成分のトナー像が形成され、感光体３６Ｍには、Ｍ色成分のトナー像が形成され、感光体３２Ｃには、Ｃ色成分のトナー像が形成され、感光体３２Ｋには、Ｋ色成分のトナー像が形成される。
【００３４】
転写器４０は、中間転写ロール４４（４４Ｙ、４４Ｍ、４４Ｃ、４４Ｋ）及び転写ロール４６（４６Ｙ、４６Ｍ、４６Ｃ、４６Ｋ）を備える。中間転写ロール４４は、現像器３８よりも感光体３２の回転方向の下流側の予め設定した位置（一次転写位置）において、外周面が感光体３２の外周面に接し、感光体３２に対して略同等の表面速度で駆動回転される。また、中間転写ロール４４は、一次転写位置とは反対側の二次転写位置で、外周面が、搬送路２０を搬送されるフィルム１２に接するように配置されている。転写ロール４６は、二次転写位置において、搬送路２０を挟んで中間転写ロール４４に対向して配置されフィルム１２を送り出すように回転される（矢印Ｒ方向への回転）。
【００３５】
画像形成ユニット３０では、図示しない電源装置から中間転写ロール４４に一次転写電圧が印加されることで、感光体３２に形成されたトナー像が、一次転写位置において中間転写ロール４４の外周面に一次転写される。また、画像形成ユニット３０では、図示しない電源装置から転写ロール４６に二次転写電圧が印加されることで、中間転写ロール４４に転写されたトナー像が、二次転写位置においてフィルム１２上に転写される。
【００３６】
現像部２６では、各色の画像形成ユニット３０Ｙ、３０Ｍ、３０Ｃ、３０Ｋで形成されたトナー像を、フィルム１２に重ねて転写することで、画像データに応じたトナー像（カラーのトナー像）をフィルム１２上に形成する。本実施の形態においてトナー像は、トナー画像の一例として機能する。なお、クリーナー４２は、一次転写が終了した感光体３２の外周面から残存トナーを除去する。また、中間転写ロール４４は、二次転写が終了することで、クリーナー４８（４８Ｙ、４８Ｍ、４８Ｃ、４８Ｋ）により残存トナーが外周面から除去される。
【００３７】
定着部２８は、定着ロール５０及び加圧ロール５２を備える。定着ロール５０は、図示しない加熱手段により加熱されて、外周面が予め設定された定着温度に維持される。定着部２８では、トナー像が転写されたフィルム１２が送り込まれることで、フィルム１２を定着ロール５０と加圧ロール５２とにより挟んで、フィルム１２を加熱しながら加圧する。これにより、フィルム１２は、トナー像が定着されて送り出される。フィルム１２は、トナー像が定着されることで画像データに応じた画像が形成され、排出部１８においてロール状に巻き取られて収容される。なお、排出部１８は、本発明の巻き取り手段の一例である。
【００３８】
ロール状に巻き取られたフィルム１２は、タッチロール７２によって矢印Ａ方向に押圧される。タッチロール７２は、アーム７４、７６を介して接続されたエアシリンダー７８によって矢印Ａ方向へ駆動される。これにより、フィルム１２間の空気が押し出される。制御部７０は、エアシリンダー７８の空気圧を制御することにより、タッチロール７２がフィルム１２を押圧する圧力を制御する。
【００３９】
ロール状に巻き取られたフィルムは、巻き取り時に重なり合うフィルム間に入りこむ空気によって、巻きずれ、皺等の不具合が発生する場合がある。これを防止するため、従来からタッチロールを用いてフィルム間に巻き込む空気を追い出すことが行われている。しかしながら、フィルムの巻き取り後に、フィルムの内部応力により、保管時に巻しまりが発生し、皺やスターディフェクト等の不具合が発生しやすい。従って、内部応力を低減するためにタッチロールの圧力は小さくする必要がある。
【００４０】
特に、本実施形態に係る画像形成装置１０のように、ＣＭＹＫの各色で画像形成を行うカラー画像形成装置の場合、各色の濃度が高くなるに従って、フィルム上に形成されるトナーの量が多くなるため画像の厚みが増加する。これにより、図２に示すように、画像８０が形成された下層のフィルム１２Ａと上層のフィルム１２Ａとの間に隙間８２が生じやすくなるため、空気を巻き込み易くなる。
【００４１】
さらに、図３に示すように、フィルム１２の幅方向（フィルム１２の搬送方向Ｆと直交する方向）において厚みが大きい画像８０Ａ、８０Ｂ（濃度が高い領域）との間に、非画像部などの画像の厚みが小さい領域（濃度が低い領域）が存在し、厚みが大きい画像８０Ａ、８０Ｂの間隔が長い場合、下層のフィルム１２Ａと上層のフィルム１２Ａとの間に隙間８２が生じやすくなるため、多くの空気を巻き込み易くなる。
【００４２】
版を使用した印刷装置の場合、印刷される画像の色及び位置は変わることが無く一定であるため、予め空気の巻き込み量を予測してタッチロールの圧力を設定することは可能であるが、本実施形態に係る画像形成装置１０のように、任意の画像をオンデマンドで形成する画像形成装置の場合、予め空気の巻き込み量を予測してタッチロールの圧力を設定することは困難である。
【００４３】
そこで、本実施形態では、制御部７０は、入力された画像データからフィルム１２の幅方向における画像の濃度を求め、求めた濃度に基づいて、タッチロール７２の圧力を制御する。なお、タッチロール７２及びエアシリンダー７８は、本発明に係る押圧手段の一例である。
【００４４】
制御部７０は、例えばＣＰＵ（Central Processing Unit）、ＲＡＭ（Random Access Memory）、ＲＯＭ（Read Only Memory）、及び不揮発性メモリ等がバスによって接続されたコンピュータ（図示省略）で構成される。ＣＰＵは、不揮発性メモリに記憶された圧力制御プログラムを実行する。ＣＰＵが実行する圧力制御プログラムは、ＣＤ−ＲＯＭ又はＤＶＤ等の記憶媒体に格納し、これをコンピュータに接続したＣＤ−ＲＯＭドライブ又はＤＶＤドライブなどにより読み込んで実行しても良く、通信回線を介してコンピュータが取得して実行しても良い。
【００４５】
次に、本実施形態の作用として、制御部７０で実行されるタッチロール７２の圧力制御プログラムについて、図４に示すフローチャートを参照して説明する。なお、図４に示す処理は、制御部７０に画像データが入力されて印刷が指示されると実行される。
【００４６】
まず、ステップＳ１００では、画像をフィルム１２に形成するための画像データを含む印刷指示（印刷ジョブ）を受信する。
【００４７】
ステップＳ１０２では、受信した画像データで表される全ページ分の画像のうち１ページ分の画像をフィルムＦ１２の幅方向に複数に分割した分割領域毎に、画像の濃度（以下、単に画像濃度と称する場合がある）を算出する。なお、本実施形態では、画像濃度は、一例として分割領域内における全画素のＣＭＹＫ各色の画素値の平均値とする。ここで、画素値が高い程、その画素の濃度が高いものとする。また、画像濃度は、分割領域内における全画素のＣＭＹＫ各色の画素値の累積値としてもよく、分割領域内における画像の厚みを反映した値であればよい。
【００４８】
一例を示すと、制御部７０は、図５（Ａ）に示す１ページ分の画像９０をフィルム１２の幅方向（図中Ｇ方向）に複数(図１（Ａ）の例では１０個）の分割領域９０−１〜９０−１０に分割する。そして、制御部７０は、図１（Ｂ）に示されるように、分割領域９０−１〜９０−１０毎に画像濃度を算出する。なお、図５（Ｂ）では、画像濃度を０〜１００％で表している。制御部７０は、画像データで表される全ページ分の画像に対して、分割領域毎に画像濃度を算出する。
【００４９】
ステップＳ１０４では、フィルム１２の幅方向に分割した分割領域９０−１〜９０−１０の画像濃度のうち最大濃度と最小濃度との濃度差が予め定めた閾値ＴＨを超えているか否かを判定する。そして、最大濃度と最小濃度との濃度差が閾値ＴＨを超えている場合は、フィルム１２間に隙間が発生して空気を巻き込みやすくなり、皺等の不具合が発生する可能性が高いと判断し、ステップＳ１０６へ移行する。一方、最大濃度と最小濃度との濃度差が閾値ＴＨ以下であった場合は皺等の不具合が発生する可能性が低いと判断し、ステップＳ１０８へ移行する。図６には、フィルム１２上に形成された画像９０の分割領域毎の画像濃度を概念的に示した。図６に示す例の場合は、分割領域９０−１〜９０−１０の画像濃度のうち分割領域９０−３の画像濃度が最大濃度で、分割領域９０−１、９０−５の画像濃度が最低濃度であり、これらの画像濃度の濃度差ｄ１が閾値ＴＨを超えているか否かを判定する。
【００５０】
ステップＳ１０６では、例えば制御部７０の図示しない不揮発性メモリに記憶されたテーブルデータに基づいて、濃度差ｄ１に対応したタッチロールの圧力値を設定する。圧力テーブルは、例えば図７に示すように、濃度差ｄ１が閾値ＴＨを超えている場合において、濃度差ｄ１が高くなるに従ってタッチロールの圧力値が高くなるように、濃度差ｄ１と圧力値との対応関係が予め定められたテーブルデータである。なお、図７では、濃度差ｄ１が高くなるに従って階段状に圧力値が高くなる場合を示したが、これに限らず、濃度差ｄ１に応じて圧力値が滑らかに変化するようにテーブルデータを設定してもよい。また、テーブルデータに代えて、濃度差ｄ１から圧力値を算出する演算式を用いてもよい。
【００５１】
一方、ステップＳ１０８では、濃度差ｄ１は閾値ＴＨ以下なので、図７に示すように、圧力値を予め定めた基準値Ｅに設定する。
【００５２】
ステップＳ１１０では、ステップＳ１０６又はステップＳ１０８で設定された圧力値でタッチロール７２が排出部１８に巻き取られたフィルム１２を押圧するように、エアシリンダー７８を制御する。このとき、画像９０が形成された領域が、タッチロール７２と排出部１８とが対向する位置、すなわち図１に示す押圧位置Ｐを通過する期間中、タッチロール７２がステップＳ１０６又はステップＳ１０８で設定された圧力値でフィルム１２を押圧するようにエアシリンダーを制御する。具体的には、画像９０が定着部２８により定着されてから押圧位置Ｐに到達するまでの時間を、定着部２８の定着位置と押圧位置Ｐとの距離及びフィルム１２の搬送速度から算出し、算出した時間に基づいてエアシリンダー７８を駆動するタイミングを制御すればよい。
【００５３】
このように、本実施形態では、フィルム１２の幅方向に分割した分割領域９０−１〜９０−１０の画像濃度のうち最大濃度と最小濃度との濃度差に応じてタッチロール７２の圧力値を設定するので、フィルム１２を押圧する圧力を画像に関係無く固定値にした場合と比較して、フィルム１２を巻き取る際に空気が巻き込まれるのが抑制される。このため、フィルム１２を巻き取る際に巻きずれや皺等の不具合が発生するのが抑制される。
【００５４】
また、本実施形態では、図４のステップＳ１０４において、画像９０をフィルム１２の幅方向に分割した分割領域９０−１〜９０−１０の画像濃度のうち最大濃度と最小濃度との差が閾値ＴＨを超えているか否かを判断する場合について説明したが、ステップＳ１０４及びステップＳ１０８の処理を省略してもよい。すなわち、最大濃度と最小濃度との濃度差が閾値ＴＨ以下の場合に設定する基準値Ｅをテーブルデータに予め設定しておき、全てテーブルデータに基づいて圧力値を設定するようにしてもよい。
【００５５】
（第２実施形態）
【００５６】
次に、本発明の第２実施形態について説明する。なお、第１実施形態と同一部分には同一符号を付し、その詳細な説明は省略する。
【００５７】
第２実施形態に係る画像形成装置は、第１実施形態で説明した画像形成装置１０と同一であるので、説明は省略する。
【００５８】
次に、本実施形態の作用として、制御部７０で実行されるタッチロール７２の圧力制御処理について、図８に示すフローチャートを参照して説明する。なお、図８に示す圧力制御処理は、制御部７０が印刷を指示されると実行される。
【００５９】
図８に示す処理のうち図４と異なる処理は、ステップＳ１０４Ａの処理であり、その他の処理は図４の処理と同一であるので、説明は省略する。
【００６０】
ステップＳ１０４Ａでは、フィルム１２の幅方向に分割した分割領域９０−１〜９０−１０の隣り合う分割領域の組み合わせのうち、隣り合う分割領域の画像濃度の濃度差が予め定めた閾値ＴＨを超える組み合わせが存在するか否かを判定する。そして、隣り合う分割領域の画像濃度の濃度差が閾値ＴＨを超える組み合わせが存在する場合は、フィルム１２間に隙間が発生して空気を巻き込みやすくなり、皺等の不具合が発生する可能性が高いと判断し、ステップＳ１０６へ移行する。一方、隣り合う分割領域の画像濃度の濃度差が閾値ＴＨ以下であった場合は皺等の不具合が発生する可能性が低いと判断し、ステップＳ１０８へ移行する。
【００６１】
図９に示すように、例えば隣り合う分割領域９０−２、９０−３の画像濃度の濃度差ｄ２と、隣り合う分割領域９０−３、９０−４の画像濃度の濃度差ｄ３と、が閾値ＴＨ以下であるが、隣り合う分割領域９０−１、９０−２の画像濃度の濃度差ｄ１が閾値ＴＨを超えている場合は、ステップＳ１０６へ移行し、隣り合う分割領域９０−１、９０−２の画像濃度の濃度差ｄ１に応じたタッチロール７２の圧力値をテーブルデータから求めて設定する。
【００６２】
なお、隣り合う分割領域の画像濃度の濃度差が閾値ＴＨを超える組み合わせが複数存在する場合は、それらのうち最大の濃度差に応じたタッチロール７２の圧力値をテーブルデータから求めて設定する。
【００６３】
このように、本実施形態では、フィルム１２の幅方向に分割した分割領域９０−１〜９０−１０の隣り合う分割領域の画像濃度の濃度差が予め定めた閾値ＴＨを超える組み合わせが存在する場合は、その濃度差に応じてタッチロール７２の圧力値を設定する。このため、隣り合う分割領域の画像濃度の濃度差に関係無くタッチロール７２の圧力値を固定値にした場合と比較して、フィルム１２を巻き取る際に空気が巻き込まれるのが抑制される。従って、フィルム１２を巻き取る際に巻きずれや皺等の不具合が発生するのが抑制される。
【００６４】
（第３実施形態）
【００６５】
次に、本発明の第３実施形態について説明する。なお、第１実施形態と同一部分には同一符号を付し、その詳細な説明は省略する。
【００６６】
第３実施形態に係る画像形成装置は、第１実施形態で説明した画像形成装置１０と同一であるので、説明は省略する。
【００６７】
次に、本実施形態の作用として、制御部７０で実行されるタッチロール７２の圧力制御処理について、図１０に示すフローチャートを参照して説明する。なお、図１０に示す圧力制御処理は、制御部７０が印刷を指示されると実行される。
【００６８】
図１０に示す処理のうち図４と異なる処理は、ステップＳ１０４Ｂの処理であり、その他の処理は図４の処理と同一であるので、説明は省略する。
【００６９】
ステップＳ１０４Ｂでは、フィルム１２の幅方向に分割した分割領域９０−１〜９０−１０のうち画像濃度が高い順に選択された２つの分割領域の画像濃度の平均値と、これら２つの分割領域に挟まれた分割領域の濃度の平均値と、の濃度差が予め定めた閾値ＴＨを超えるか否かを判定する。そして、画像濃度が高い順に選択された２つの分割領域の画像濃度の平均値と、これら２つの分割領域に挟まれた分割領域の濃度の平均値と、の濃度差が閾値ＴＨを超える場合は、フィルム１２間に隙間が発生して空気を巻き込みやすくなり、皺等の不具合が発生する可能性が高いと判断し、ステップＳ１０６へ移行する。一方、画像濃度が高い順に選択された２つの分割領域の画像濃度の平均値と、これら２つの分割領域に挟まれた分割領域の濃度の平均値と、の濃度差が閾値ＴＨ以下であった場合は皺等の不具合が発生する可能性が低いと判断し、ステップＳ１０８へ移行する。
【００７０】
なお、画像濃度が高い順に選択された２つの分割領域に挟まれる分割領域が存在しない場合は、ステップＳ１０６へ移行する。
【００７１】
図１１に示すように、例えば画像濃度が高い順に選択された２つの分割領域９０−２、９０−５の画像濃度の平均値と、これら２つの分割領域９０−２、９０−５に挟まれた分割領域９０−３、９０−４の画像濃度の平均値と、の濃度差が閾値ＴＨを超えている場合は、ステップＳ１０６へ移行し、当該濃度差に応じたタッチロール７２の圧力値をテーブルデータから求めて設定する。
【００７２】
このように、本実施形態では、分割領域９０−１〜９０−１０のうち画像濃度が高い順に選択された２つの分割領域の画像濃度の平均値と、これら２つの分割領域に挟まれた分割領域の濃度の平均値と、の濃度差が閾値ＴＨを超える場合は、その濃度差に応じてタッチロール７２の圧力値を設定する。このため、分割領域９０−１〜９０−１０のうち画像濃度が高い順に選択された２つの分割領域の画像濃度の平均値と、これら２つの分割領域に挟まれた分割領域の濃度の平均値と、の濃度差に関係無くタッチロール７２の圧力値を固定値にした場合と比較して、フィルム１２を巻き取る際に空気が巻き込まれるのが抑制される。従って、フィルム１２を巻き取る際に巻きずれや皺等の不具合が発生するのが抑制される。
【００７３】
なお、本実施形態では、分割領域９０−１〜９０−１０のうち画像濃度が高い順に選択された２つの分割領域の画像濃度の平均値と、これら２つの分割領域に挟まれた分割領域の濃度の平均値と、の濃度差が予め定めた閾値ＴＨを超えるか否かを判定する場合について説明したが、これに限られるものではない。例えば、分割領域９０−１〜９０−１０のうち画像濃度が高い順に選択された２つの分割領域の画像濃度のうち高い方又は低い方の画像濃度を用いてもよいし、これら２つの分割領域に挟まれた分割領域の画像濃度のうち最も低い画像濃度又は最も高い画像濃度を用いてもよい。
【００７４】
（第４実施形態）
【００７５】
次に、本発明の第４実施形態について説明する。なお、第３実施形態と同一部分には同一符号を付し、その詳細な説明は省略する。
【００７６】
第４実施形態に係る画像形成装置は、第３実施形態で説明した画像形成装置１０と同一であるので、説明は省略する。
【００７７】
次に、本実施形態の作用として、制御部７０で実行されるタッチロール７２の圧力制御処理について、図１２に示すフローチャートを参照して説明する。なお、図１０に示す圧力制御処理は、制御部７０が印刷を指示されると実行される。
【００７８】
図１２に示す処理のうち図１０と異なるのは、ステップＳ１０５の処理が追加されている点であり、その他の処理は図１０の処理と同一であるので、説明は省略する。
【００７９】
ステップＳ１０４Ｂの判定が肯定判定の場合はステップＳ１０５へ移行し、否定判定の場合はステップＳ１０８へ移行する。
【００８０】
ステップＳ１０５では、フィルム１２の幅方向に分割した分割領域９０−１〜９０−１０のうち画像濃度が高い順に選択された２つの分割領域のフィルム１２の幅方向の間隔（画像濃度が高い順に選択された２つの分割領域に挟まれる分割領域のフィルム１２の幅方向の長さ）が予め定めた閾値ＴＨ２を超えるか否かを判定する。そして、分割領域９０−１〜９０−１０のうち画像濃度が高い順に選択された２つの分割領域の間隔が閾値ＴＨ２を超える場合は、フィルム１２間に隙間が発生して空気を巻き込みやすくなり、皺等の不具合が発生する可能性が高いと判断し、ステップＳ１０６へ移行する。一方、分割領域９０−１〜９０−１０のうち画像濃度が高い順に選択された２つの分割領域の間隔が閾値ＴＨ２以下であった場合は皺等の不具合が発生する可能性が低いと判断し、ステップＳ１０８へ移行する。
【００８１】
図１１に示すように、例えば画像濃度が高い順に選択された２つの分割領域９０−２と分割領域９０−５との間隔Ｔが閾値ＴＨ２を超えている場合は、ステップＳ１０６へ移行し、当該間隔に応じたタッチロール７２の圧力値をテーブルデータから求めて設定する。なお、ここで用いるテーブルデータは、画像濃度が高い順に選択された２つの分割領域の間隔とタッチロール７２の圧力値との対応関係を表すテーブルデータである。
【００８２】
このように、本実施形態では、分割領域９０−１〜９０−１０のうち画像濃度が高い順に選択された２つの分割領域の画像濃度の平均値と、これら２つの分割領域に挟まれた分割領域の濃度の平均値と、の濃度差が閾値ＴＨを超え、かつ、当該２つの分割領域の間隔が閾値ＴＨ２を超える場合は、その間隔に応じてタッチロール７２の圧力値を設定する。このため、画像濃度が高い順に選択された２つの分割領域の間隔に関係無くタッチロール７２の圧力値を固定値にした場合と比較して、フィルム１２を巻き取る際に空気が巻き込まれるのが抑制される。従って、フィルム１２を巻き取る際に巻きずれや皺等の不具合が発生するのが抑制される。
【００８３】
なお、本発明は上記各実施形態に限定されるものではなく、本発明の範囲内にて他の種々の実施形態をとることが可能であることは当業者にとって明らかである。
【００８４】
例えば、上記各実施形態では１ページの画像９０をフィルム１２の幅方向に複数の分割領域に分割する場合について説明したが、例えば図１３に示すように、フィルム１２の搬送方向にも複数に分割するようにしてもよい。図１３の例では、破線９２−１〜９２−３によってフィルム１２の搬送方向に４分割した例を示しており、１ページ分の画像９０を４０分割しているが、分割数はこれに限られるものではない。このように細かく分割することにより、フィルム１２を巻き取る際に空気が巻き込まれるのが更に抑制される。
【００８５】
また、上記各実施形態では、記録媒体がフィルムの場合について説明したが、記録媒体が紙等であってもよい。
【００８６】
また、上記各実施形態では、電子写真方式によってフィルム１２に画像を形成したが、インクジェット、又は凹版印刷等によってフィルム１２に画像を形成してもよい。
【符号の説明】
【００８７】
１０   画像形成装置
１２   フィルム
１４   画像形成部
１８   排出部
３０   画像形成ユニット
４４   中間転写ロール
４６   転写ロール
７０   制御部
７２   タッチロール
７８   エアシリンダー
９０−１〜９０−１０ 分割領域
【図１】
2017141101.tif 000003
【図２】
2017141101.tif 000004
【図３】
2017141101.tif 000005
【図４】
2017141101.tif 000006
【図５】
2017141101.tif 000007
【図６】
2017141101.tif 000008
【図７】
2017141101.tif 000009
【図８】
2017141101.tif 000010
【図９】
2017141101.tif 000011
【図１０】
2017141101.tif 000012
【図１１】
2017141101.tif 000013
【図１２】
2017141101.tif 000014
【図１３】
2017141101.tif 000015